(57)【要約】【課題】表示パネルとバックライトとの固定または表示装置と電子機器との固定等、表示装置の２つの部材間の固定手段において、コストが高くなることを防止しかつ装置内部に異物が侵入することを抑制することが可能な表示装置を提供することを目的とする。【解決手段】両面テープ３１、３２は、弾性を備える材料で形成されており、所定の厚みを備えている。両面テープ３１、両面テープ３２はミドルフレーム４の開口部４１周辺に貼り付けられ、ミドルフレーム４の開口部４１の四隅すなわち開口部４１の角部に対応する位置において、互いに重なるように配置される。本発明では、両面テープ３１、３２が重なる位置において、それぞれの両面テープ３１および両面テープ３２に凹部３１１、凹部３２１を有している。【選択図】図３
2017021228.tif 000002
【特許請求の範囲】
【請求項１】
画像を表示する表示パネルと、
前記表示パネルに光を供給するバックライトと、
開口部が設けられ、前記バックライトを保持する矩形状のミドルフレームと、
前記表示パネルと前記ミドルフレームとを固定する固定手段であって、前記ミドルフレームの開口部の一辺に沿って連続して配置される複数の両面テープと、を備え、
前記両面テープは、前記開口部の角部に対応して前記両面テープが重なるように配置され、
前記両面テープの重なる位置において、それぞれの両面テープと対応する位置に凹部が形成され、前記凹部が嵌合して配置される、ことを特徴とする表示装置。
【請求項２】
画像を表示する表示パネルの前面に配置される保護板またはタッチパネルと、
開口部が設けられ、前記表示パネルを表示面側より保持する筐体と、
前記保護板または前記タッチパネルと、前記筐体とを固定する固定手段であって、前記筐体の開口部の一辺に沿って連続して配置される複数の両面テープと、を備え、
前記両面テープは、前記開口部の角部に対応して前記両面テープが重なるように配置され、
前記両面テープの重なる位置において、それぞれの両面テープと対応する位置に凹部が形成され、前記凹部が嵌合して配置される、ことを特徴とする表示装置。
【請求項３】
前記両面テープは、前記凹部よりも外側に延在する延在部を備えることを特徴とする請求項１または２記載の表示装置。
【請求項４】
前記両面テープは弾性を備える材料で形成され、前記両面テープが重なる位置に配置される凹部の厚さの合計は、前記両面テープの厚さと同等となるよう設定されたことを特徴とする請求項３記載の表示装置。
【発明の詳細な説明】
【技術分野】
【０００１】
本発明は、表示パネルを備えた表示装置に関するものである。
【背景技術】
【０００２】
従来の表示装置は、表示パネル等を備えた表示装置において、表示パネルに光を導くため、導光板を表示パネルの表示面とは反対側に配置し、導光板の側面に発光ダイオード（Ｌｉｇｈｔ Ｅｍｉｔｔｉｎｇ Ｄｉｏｄｅ  以下、ＬＥＤと称する）などの光源を配置している。光源からの光を導光板内において伝播させ、導光板内に設けられる拡散パターンで拡散させて表示パネルに向けて光を出射している。
【０００３】
バックライトは、導光板および光源等の光学部材を収納する第１のフレームおよび第１のフレームと嵌合する第２のフレームによって、光学部材を保持している。このとき、表示パネルと第２のフレームとは、両面テープ等で貼り付けられ、固定されている。また、表示装置にタッチパネルまたは保護板を備える場合も同様に表示装置を保持する筐体に両面テープ等で貼り付けられ、固定されている。
【０００４】
特許文献１に示されたディスプレイ装置によれば、タッチパネルとパネル用ケースとの間に帯状のクッションが配置され、クッションの各四隅の接合部は、所定の傾斜角度やジグザグ形状で形成されている。
【０００５】
特許文献２に示された液晶表示装置によれば、液晶表示パネルはバックライトを構成するフレームに枠状の両面接着テープで固定されている。
【先行技術文献】
【特許文献】
【０００６】
【特許文献１】特開２０１３−５２７７４号公報
【特許文献２】特開２００９−１２２１６７号公報
【発明の概要】
【発明が解決しようとする課題】
【０００７】
しかしながら、特許文献１に記載された車載ディスプレイ装置では、帯状のクッションがずれることなどにより、異物が装置内部に入り込む可能性がある。
【０００８】
特許文献２に記載された表示装置では、表示パネルとバックライトとを枠状の両面接着テープで固定しているが、両面接着テープを枠状にカットするため、バックライトの開口部の内側の領域分の両面接着テープが無駄となり、コストが高くなるという問題がある。
【０００９】
本発明は、上記のような問題点を解消するためになされたもので、表示パネルとバックライトとの固定または表示装置とタッチパネルまたは保護板との固定等、表示装置の２つの部材間の固定手段において、コストが高くなることを防止しかつ装置内部に異物が侵入することを抑制することが可能な表示装置を提供することを目的とする。
【課題を解決するための手段】
【００１０】
本発明の表示装置は、画像を表示する表示パネルと、表示パネルに光を供給するバックライトと、開口部が設けられ、バックライトを保持する矩形状のミドルフレームと、
表示パネルとミドルフレームとを固定する固定手段であって、ミドルフレームの開口部の一辺に沿って連続して配置される複数の両面テープと、を備え、両面テープは、開口部の角部に対応して両面テープが重なるように配置され、両面テープの重なる位置において、それぞれの両面テープと対応する位置に凹部が形成され、凹部が嵌合して配置される、ことを特徴とする。
【発明の効果】
【００１１】
本発明の構成によれば、表示装置の２つの部材間の固定手段において、コストが高くなることを防止しかつ装置内部に異物が侵入することを抑制することができる。
【図面の簡単な説明】
【００１２】
【図１】本発明に係る表示装置の分解斜視図である。
【図２】図１の表示装置の平面図である。
【図３】図１のバックライトの平面図である。
【図４】図３のバックライトのＡ−Ａ断面図である。
【図５】図３のバックライトのＢ−Ｂ断面図である。
【図６】本発明の変形例におけるバックライトの平面図である。
【図７】図６のバックライトのＣ−Ｃ断面図である。
【図８】図６のバックライトのＤ−Ｄ断面図である。
【図９】本実施の形態２に係る表示装置の分解斜視図である。
【発明を実施するための形態】
【００１３】
以下、この発明の実施の形態を図面に基づいて説明する。
【００１４】
実施の形態１．
図１は本発明の表示装置の分解斜視図、図２は図１の表示装置を組み立てた状態における平面図、図３は図１のバックライトの平面図、図４は図３のバックライトのＡ−Ａ断面図、図５は図３のバックライトのＢ−Ｂ断面図である。
【００１５】
図１において、本発明の表示装置１００は、表示パネル２および表示パネル２に光を照射するためのバックライト１０を備えている。バックライト１０は、基板等に実装されたＬＥＤなどの光源８、該光源８からの光を表示パネル２の表示面２へ導き拡散する導光板６を備えている。光源８は導光板６の側面側に配置させる。導光板６の反出光面（ここで、反出光面とは導光板６における紙面下方の面とする）には、光の伝播方向を乱して出光面（ここで、出光面とは導光板６における紙面上方の面とする）に光を導くための光散乱部が形成されている（図示せず）。この光散乱部は、導光板６内を伝播する光の全反射条件を乱すことで、導光板６から光を取り出す手段として機能する。さらに具体的には、前記散乱する手段として、導光板６の反出光面にドットパターンを印刷する方法や、反出光面を粗面にする方法、微小な球面やプリズムなどの光の伝播方向を変化させる凹凸を反出光面に形成する方法等がある。
【００１６】
導光板６は、ポリエチレンテレフタレート（ＰＥＴ）、アクリル（ＰＭＭＡ）、ポリカーボネート（ＰＣ）、もしくはシクロオレフィン系などの樹脂板またはガラス基板などの材料で構成され、光を透過する機能を有するものである。特に、ポリカーボネートやシクロオレフィン系樹脂を使用することにより、温度変化による導光板６の寸法変化が少なくなり、より広い温度範囲で使用することができる。
【００１７】
導光板６の反出光面側には、光を有効的に反射させるように反射シート７を設け、金属または樹脂等からなるリアフレーム９の内部に導光板６とともに配置している。反射シート７は、銀、アルミニウム、ステンレスなどの金属性のものや、蛍光剤を含有した発泡性ＰＥＴフィルム（白色ＰＥＴフィルム）などで構成される。特に、白色ＰＥＴフィルムは、反射面の傷が目立ち難く取り扱いが容易である。
【００１８】
また、導光板６の出光面側には、光を効果的に利用するための複数枚の光学シートからなる光学シート類５を配置する。光学シート類５はレンズシートを拡散シートで挟み込む構成である。また、輝度の向上が必要な場合には、複数枚のレンズシートをその表面に形成されるシートのプリズムの方向を考慮して組み合わせてもよい。また、拡散シートは、拡散性を向上させる場合に、２枚以上用いることが可能である。さらに、レンズシートの配光特性によってはレンズシートを１枚としてもよいし、または使用しなくてもよい。さらに、レンズシートと偏光反射シートとを組み合わせてもよい。求める輝度や配光特性等を鑑みて最適化することができる。
【００１９】
光源８、導光板６、反射シート７および光学シート類５は、リアフレーム９内に配置され、リアフレーム９と金属または樹脂等からなるミドルフレーム４により挟持されており、これらをまとめてバックライト１０と称する。表示パネル２は、バックライト１０と、開口部を有するフロントフレーム１で挟持されており、さらにバックライト１０上のミドルフレーム４と両面テープ３を介して接着固定されている。なお、図１では導光板６の１つの側面にのみ光源８を設けているが、本発明はこれに限らず導光板の２つの側面以上に光源８を配置してもよい。さらに、光源８は、冷陰極管ランプ（ＣＣＦＬ : Ｃｏｌｄ Ｃａｔｈｏｄｅ Ｆｌｕｏｒｅｓｃｅｎｔ Ｌａｍｐ）やレーザーダイオード（Ｌａｓｅｒ Ｄｉｏｄｅ）などでもよい。さらに、光源８を導光板６の直下に配置してもよい。
【００２０】
次に、本発明の表示装置１００における特徴的な構成と、その機能および効果について説明を行う。
【００２１】
図１に示すように、表示装置１００内においては、前述の通り、表示パネル２がバックライト１０とフロントフレーム１により挟持されており、さらに表示パネル２とバックライト１０を構成するミドルフレーム４との間で複数の両面テープ３により接着され固定される固定手段を備えている。両面テープ３は、表示パネル２側で偏光板（図示せず）上に貼ってもよいし、表示面側の基板上に貼ってもよい。
【００２２】
図３に示すように、ミドルフレーム４において、紙面左右方向に貼られた両面テープ３を両面テープ３１、紙面上下方向に貼られた両面テープ３を両面テープ３２とする。両面テープ３１、３２はミドルフレーム４の一辺に沿って連続して貼り付けられる形状とする。本実施の形態においては、矩形である長方形状を示しているが、この限りではない。本実施の形態においては、矩形状の両面テープ３１、３２をミドルフレーム４の開口部４１の周囲四辺で覆うように配置する。
【００２３】
図４、図５に示すように、両面テープ３１、３２は、弾性を備える材料で形成されており、所定の厚みを備えている。両面テープ３１、両面テープ３２はミドルフレーム４の開口部４１周辺に貼り付けられ、ミドルフレーム４の開口部４１の四隅すなわち開口部４１の角部に対応する位置において、互いに重なるように配置される。本発明では、両面テープ３１、３２が重なる位置において、それぞれの両面テープ３１および両面テープ３２に凹部３１１、凹部３２１を有している。両面テープ３１の凹部３３１と両面テープ３２の凹部３２１の厚さの合計が、両面テープ３（３１もしくは３２）の厚みとなるように凹部の高さを設定する。また、両面テープ３１の凹部３３１と両面テープ３２の凹部３２１の厚さの合計が、両面テープ３の厚さとなればよいため、両面テープ凹部３２１または３１１凹部の厚さは同じであってもよいし、異なっていてもよい。
【００２４】
凹部３３１、凹部３２１を形成して、両面テープ３１の凹部３３１と、両面テープ３２の凹部３２１とを嵌合させて配置する。これにより、両面テープ３１と両面テープ３２とが重なる位置において、厚みの違いによる段差を吸収することができる。よって、ミドルフレーム４を表示パネル２に固定させる際、固定手段として両面テープ３１、３２を配置する場合、両面テープ３１と両面テープ３２とが重なる位置で、両面テープの段差を吸収することにより、表示パネル２とミドルフレーム４間に隙間が生じることを防止することができる。
【００２５】
図４、５においては両面テープ３２を紙面下側、両面テープ３１を紙面上側に配置しているが、両面テープ３２、両面テープ３１のどちらを上側、下側にしても効果は変わらない。また、両面テープ３１の上側、両面テープ３２の下側に凹部を形成しても同様の効果を得ることができる。また、両面テープ３１、３２として、弾性のある基材で形成された両面テープを選定することで、２つの両面テープ３１、３２を嵌め合わせる際に貼付ズレが起きたとしても弾性作用により、両面テープのズレを吸収することができ、組み立てが容易となる。
【００２６】
上記説明した通り、本発明の表示パネル２とミドルフレーム４の固定手段によれば、ミドルフレーム４の開口部に沿って連続して貼り付けられる形状とする両面テープ３１と両面テープ３２とを用い、両面テープ３１、３２が重なる位置で凹部３１１、３２１を形成させ、対応する両面テープの段差を吸収することにより、表示パネル２とミドルフレーム４間に隙間が生じることを防止することができ、表示装置内に異物が侵入することを防止することができる。また、枠状の固定手段を用いるため、両面テープの無駄を省いてコストが高くなることを防止する。
【００２７】
また、両面テープ３１、３２に凹部３１１、３２１を形成させ、凹部同士を嵌合して配置すればよく、両面テープ３１、３２の位置決めが容易となるとともに両面テープ貼り付け時の作業性が向上する。
【００２８】
なお、本実施の形態において、両面テープの凹部３１１、３２１の形状は断面視で矩形状のものを示し説明したが、テーパなどの傾斜や曲面を備える形状でもよい。
【００２９】
本発明の変形例について説明する。図６は変形例におけるバックライトの正面図、図７は図６のＣ-Ｃ断面図、図８は図６のＤ-Ｄ断面図である。図６乃至図８に示すように、本変形例では、両面テープ３１、３２が重なる位置よりも外側に長く延在させる延在部３１２、３２２を備えている。
【００３０】
延在部３１２、３２２を備えることにより、両面テープ３１、３２を嵌め合わせる際、凹部３１１、３２１が判別しやすくなることで、位置決めが容易となるとともに両面テープ３１、３２の貼り付け時の作業性が向上する。
【００３１】
また、両面テープ３１、３２にズレが生じた場合であっても、延在部３１２、３２２を備えることで、ズレを吸収して異物が侵入することを防止することができる。
【００３２】
実施の形態２．
図９に実施の形態２における表示装置の分解斜視図を示す。実施の形態１では表示パネル２とミドルフレーム４との固定手段の構成について説明したが、本発明の構造は、表示パネル２とバックライト１０を構成するミドルフレーム４の固定手段に限定されない。図９に示すように、表示装置１００に保護板１１を備える構造において、保護板とフロントフレーム１との固定手段についても適用でき、実施の形態１と同様の効果を得ることができる。なお、本実施の形態２では、実施の形態１との相違点のみ説明する。
【００３３】
図９に示すように、本実施の形態２における表示装置において、表示装置１００の前面に保護板１１を備え、表示装置１００と保護板１１との固定手段に実施の形態１で説明した両面テープ３１、３２を配置する。これにより、両面テープ３１、両面テープ３２がフロントフレーム１の開口部と対応して貼り付けられる際、両者が重なる位置で段差を吸収するため、装置内に異物が侵入することを防止することができる。
【００３４】
保護板１１は樹脂板、ガラス等で構成され、表面にコーティング処理や印刷がなされていてもよい。また、保護板１１の代わりにタッチパネルであってもよい。
【００３５】
また、以上説明した実施の形態１、２あるいはそれら変形例において、本発明を逸脱しない範囲で適宜組合せ可能である。表示パネルは、プラズマディスプレイ、有機ＥＬディスプレイなどのフラットパネル表示装置における表示パネルにも適用可能であって、これら表示装置の製造において好適に用いることができる。
【符号の説明】
【００３６】
１  フロントフレーム、２  表示パネル、３  両面テープ、４  ミドルフレーム
５  光学シート類、６  導光板、７  反射シート、８  光源、９  リアフレーム
１０  バックライト、１１  保護板、
３１  左右配置両面テープ、３１１  延在部、
３２  上下配置両面テープ、３２１  延在部、
３３  両面テープ凹み部、１００  表示装置。
【図１】
2017021228.tif 000003
【図２】
2017021228.tif 000004
【図３】
2017021228.tif 000005
【図４】
2017021228.tif 000006
【図５】
2017021228.tif 000007
【図６】
2017021228.tif 000008
【図７】
2017021228.tif 000009
【図８】
2017021228.tif 000010
【図９】
2017021228.tif 000011